(57)【要約】【課題】  汚水タンクの提供。【解決手段】  槽室、汚水の導入管を取り付ける入口、排出管を取り付ける出口を具え、そのうち排出管が延伸されて汚水タンクの出口を通過する上部と該上部の内端より下向きに延伸され槽室に進入する傾斜部を具え、該傾斜部が閉じた下端と周囲に複数の孔を具えた吸水部を具え、汚水を導入管より槽室に導入した後、該吸水部の孔より傾斜部に吸入し排出管より外部に排出し、汚水タンクの排出機能を高めた。【選択図】        図２
2005319455.tif 000002
【特許請求の範囲】
【請求項１】
汚水タンクにおいて、
槽室と、
汚水を該槽室に導入する入口と、
該槽室にあって上述の入口より低い位置に取り付けられた出口と、
上述の出口を通り延伸された上部と傾斜部を具え、該傾斜部が閉じた下端と周囲に複数の孔を具えた吸水部を具え、槽室内の浄化された廃水を該吸水部の孔より排出管に吸入して外部に排出する排出管と、
を具えたことを特徴とする、汚水タンク。
【請求項２】
請求項１記載の汚水タンクにおいて、槽室が内部に隔壁のない密封槽室とされたことを特徴とする、汚水タンク。
【請求項３】
請求項１記載の汚水タンクにおいて、排出管の上部が槽室内に位置する内端を具え、傾斜部が該上部の内端より下向きに槽室中に延伸されたことを特徴とする、汚水タンク。
【請求項４】
請求項１記載の汚水タンクにおいて、傾斜部が下向きに３０度から６０度の間の範囲で傾斜することを特徴とする、汚水タンク。
【請求項５】
請求項１記載の汚水タンクにおいて、槽室の底面にあって排出管下方に対応する位置に出口より入口の方向に下向きに傾斜する斜面があることを特徴とする、汚水タンク。
【請求項６】
請求項１記載の汚水タンクにおいて、傾斜部の出水部が前記出口より６インチから８インチ低い位置にあることを特徴とする、汚水タンク。
【請求項７】
請求項１記載の汚水タンクにおいて、槽室内に沈水ポンプが取り付けられ、該沈水ポンプに回流管が接続されて該回流管が槽室の入口付近まで延伸されたことを特徴とする、汚水タンク。
【請求項８】
請求項７記載の汚水タンクにおいて、前記入口に近い槽室内部に隔板で囲まれた回流室が形成され、沈水ポンプに接続された回流管が該回流室内部に連通することを特徴とする、汚水タンク。
【請求項９】
請求項１記載の汚水タンクにおいて、槽室の上にエアポンプが設置され、該エアポンプに接続された導管が槽室内部まで延伸されたことを特徴とする、汚水タンク。
【請求項１０】
請求項１記載の汚水タンクにおいて、槽室内に殺菌ランプが設置されたことを特徴とする、汚水タンク。
【請求項１１】
請求項１記載の汚水タンクにおいて、出口に近い槽室内部に隔板で画定され排出管を収納する収容室が設けられ、該収容室が隔板と槽室の側壁で囲まれて形成され排出管の傾斜部を包囲することを特徴とする、汚水タンク。
【請求項１２】
請求項１１記載の汚水タンクにおいて、隔板が汚水タンクの上壁より下向きに、排出管の吸水部の底端より低い位置まで延伸されたことを特徴とする、汚水タンク。
【請求項１３】
請求項１１記載の汚水タンクにおいて、隔板に透水孔が設けられたことを特徴とする、汚水タンク。
【請求項１４】
請求項１１記載の汚水タンクにおいて、隔板の底部にフィルタネットが設けられたことを特徴とする、汚水タンク。
【発明の詳細な説明】
【技術分野】
【０００１】
本発明は一種の汚水タンクに係り、特に一般家庭生活で排出される廃水を処理する汚水タンクの設計に関する。
【背景技術】
【０００２】
人が毎日排出する糞便は主な廃水とされ、生活上の廃水は通常住宅地下の汚水タンク内に流されて分解浄化されて澄んだ廃水とされ、更に排出管により近隣の排水路に排出され、飲用水の汚染と生態環境の破壊を防止する。汚水タンクに流入して沈殿した汚泥が一定程度溜まると、それを吸い出して汚水タンクを掃除する必要がある。
【０００３】
排出される排水を浄化するため、周知の汚水タンクは一般に隔壁で内部が分解槽、濾過槽、及び沈殿槽等の複数の槽室に仕切られている。そのうち、第１の槽室の高い位置に汚水の導入管が接続され、且つ最後の槽室の低い位置に廃水の排出管が接続され、並びに分解槽室内に糞便を砕く沈水ポンプが設けられて、分解を加速する。排泄物及び廃水は汚水タンク内に進入した後、分解槽及び沈殿層により分離、沈殿が行なわれて浄化されてから排出管により排出される。
【０００４】
汚水タンクが複数の槽室に区画された周知の構造は、廃水浄化の機能を有するものの、各槽室の容積は単一の汚水タンクの容積より少なく、このため汚水タンクにつまりや溢出が発生しやすい欠点がある。このほか、汚水タンクを区画する隔壁が攪拌器の取り付けに不利な障害を形成する。
【発明の開示】
【発明が解決しようとする課題】
【０００５】
本発明の主要な目的は、一種の汚水タンクを提供することにあり、この汚水タンクはサイホン作用を有する排出管を具え、汚水タンク中の排出可能な浄化廃水を該排出管により順調に排出でき、全体の汚水タンクの機能を高めたものとする。
【０００６】
本発明の次の目的は、隔壁が設置されていない汚水タンクを提供して、汚水タンクの容積を有効に増し、これにより汚水の分解沈殿速度を高められるようにすることにある。
【０００７】
本発明は上述の目的及びその他の効果を達成する汚水タンクとされ、それは、槽室、汚水の導入管を取り付ける入口、及び排出管を取り付ける出口を具えている。そのうち、排出管は、延伸されて汚水タンクの出口を通過する上部と該上部の内端より下向きに延伸されて槽室内に進入する傾斜部を具え、該傾斜部は閉じた下端と周囲に複数の孔を具えた吸水部を具え、汚水を導入管より槽室に導入した後、該吸水部の孔より傾斜部に吸入し排出管より外部に排出し、汚水タンクの排出機能が高められている。
【０００８】
上述の槽室は内部に隔壁のない密封槽室とされ、それは比較的大きな空間を排泄物或いは類似物を包含する廃水を収容するのに提供し、入口は汚水タンクの一側の上部近くに設置され、また出口は該入口から離れた別側にあって該入口より低い位置に設置され、好ましくは入口より約２インチ低い位置に設けられる。
【０００９】
上述の傾斜部の出水部は最も好ましくは出口より低い６インチから８インチの範囲とされ、また傾斜部は好ましくは下向きに３０から６０度の間の範囲で傾斜するものとされ、最も好ましくは下向きに４５度傾斜するものとされる。
【００１０】
槽室内に更に沈水ポンプが設けられ、並びに入口に近隣の槽室内部が隔板で囲まれて回流室が形成され、また該沈水ポンプに回流室内部に連通する回流管が接続される。
【００１１】
槽室に更にエアポンプが設置され、該エアポンプに槽室内部に延伸された導管が接続される。並びに槽室内に更に殺菌ランプが設置される。
【００１２】
出口近くの槽室内部に隔板が設置されて排出管を収納できる収容室が画定され、該収容室は隔板に槽室の側壁が組み合わされて形成され排出管の傾斜部を包囲する区間とされる。
【課題を解決するための手段】
【００１３】
請求項１の発明は、汚水タンクにおいて、
槽室と、
汚水を該槽室に導入する入口と、
該槽室にあって上述の入口より低い位置に取り付けられた出口と、
上述の出口を通り延伸された上部と傾斜部を具え、該傾斜部が閉じた下端と周囲に複数の孔を具えた吸水部を具え、槽室内の浄化された廃水を該吸水部の孔より排出管に吸入して外部に排出する排出管と、
を具えたことを特徴とする、汚水タンクとしている。
請求項２の発明は、請求項１記載の汚水タンクにおいて、槽室が内部に隔壁のない密封槽室とされたことを特徴とする、汚水タンクとしている。
請求項３の発明は、請求項１記載の汚水タンクにおいて、排出管の上部が槽室内に位置する内端を具え、傾斜部が該上部の内端より下向きに槽室中に延伸されたことを特徴とする、汚水タンクとしている。
請求項４の発明は、請求項１記載の汚水タンクにおいて、傾斜部が下向きに３０度から６０度の間の範囲で傾斜することを特徴とする、汚水タンクとしている。
請求項５の発明は、請求項１記載の汚水タンクにおいて、槽室の底面にあって排出管下方に対応する位置に出口より入口の方向に下向きに傾斜する斜面があることを特徴とする、汚水タンクとしている。
請求項６の発明は、請求項１記載の汚水タンクにおいて、傾斜部の出水部が前記出口より６インチから８インチ低い位置にあることを特徴とする、汚水タンクとしている。
請求項７の発明は、請求項１記載の汚水タンクにおいて、槽室内に沈水ポンプが取り付けられ、該沈水ポンプに回流管が接続されて該回流管が槽室の入口付近まで延伸されたことを特徴とする、汚水タンクとしている。
請求項８の発明は、請求項７記載の汚水タンクにおいて、前記入口に近い槽室内部に隔板で囲まれた回流室が形成され、沈水ポンプに接続された回流管が該回流室内部に連通することを特徴とする、汚水タンクとしている。
請求項９の発明は、請求項１記載の汚水タンクにおいて、槽室の上にエアポンプが設置され、該エアポンプに接続された導管が槽室内部まで延伸されたことを特徴とする、汚水タンクとしている。
請求項１０の発明は、請求項１記載の汚水タンクにおいて、槽室内に殺菌ランプが設置されたことを特徴とする、汚水タンクとしている。
請求項１１の発明は、請求項１記載の汚水タンクにおいて、出口に近い槽室内部に隔板で画定され排出管を収納する収容室が設けられ、該収容室が隔板と槽室の側壁で囲まれて形成され排出管の傾斜部を包囲することを特徴とする、汚水タンクとしている。
請求項１２の発明は、請求項１１記載の汚水タンクにおいて、隔板が汚水タンクの上壁より下向きに、排出管の吸水部の底端より低い位置まで延伸されたことを特徴とする、汚水タンクとしている。
請求項１３の発明は、請求項１１記載の汚水タンクにおいて、隔板に透水孔が設けられたことを特徴とする、汚水タンクとしている。
請求項１４の発明は、請求項１１記載の汚水タンクにおいて、隔板の底部にフィルタネットが設けられたことを特徴とする、汚水タンクとしている。
【発明の効果】
【００１４】
本発明の汚水タンクは槽室、汚水の導入管を取り付ける入口、排出管を取り付ける出口を具え、そのうち排出管が延伸されて汚水タンクの出口を通過する上部と該上部の内端より下向きに延伸され槽室に進入する傾斜部を具え、該傾斜部が閉じた下端と周囲に複数の孔を具えた吸水部を具え、汚水を導入管より槽室に導入した後、該吸水部の孔より傾斜部に吸入し排出管より外部に排出し、汚水タンクの排出機能を高めている。
【発明を実施するための最良の形態】
【００１５】
図１、２を参照されたい。本発明による汚水タンク１は、槽室１０、汚水の導入管１３を取り付ける入口１１、及び排出管２を取り付ける出口１２を具えている。そのうち、槽室１０は内部に隔壁のない密封槽室とされ、それは排泄物或いは類似物を包含する廃水を収容するための比較的大きな空間を提供でき、入口１１は通常汚水タンク１の一側の上部近くに設けられて一般生活の汚水或いはトイレから排出される排出物を導入管１３より槽室１０内に導入し、また出口１２は通常該入口１１から離れた別側の入口１１よりやや低い位置、好ましくは入口１１より約２インチ低い位置に設けられる。
【００１６】
上述の排出管１２は、延伸されて汚水タンク１の出口１２を通過する上部２１と該上部２１の内端より下向きに延伸されて槽室１０内に進入する傾斜部２２を具え、該傾斜部２２は好ましくは下向きに３０から６０度の間の範囲で傾斜するものとされ、最も好ましくは下向きに４５度傾斜するものとされる。また該傾斜部２２は閉じた下端２２１と周囲に複数の孔２２３を具えた吸水部２２２を具え、該吸水部２２２は好ましくは出口１２の水平面より低い約６インチから８インチの範囲にある。
【００１７】
図２に示されるように、一般生活汚水或いはトイレから排出される排泄物は導入管１３より槽室１０内に導入された後、分解され腐敗した汚物は槽室底部に沈殿し汚泥を形成し沈殿エリア１４を画定し、また槽室１０の底面１０１の排出管２下方に対応する位置に出口１２より入口１１に向けて下向きに傾斜する斜面が設けられ、排出管２下方の沈殿エリア１４の汚泥が比較的少なくなる。沈殿エリア１４の上は分解浄化され排出可能な澄んだ廃水の廃水エリア１５とされ、軽い懸濁物は廃水エリア１５の上層に浮かび懸濁エリア１６を画定する。一般に、浄化されて排出可能な廃水エリア１５の廃水は懸濁エリア１６の下約６インチの範囲にある。
【００１８】
本発明の構造により形成された汚水タンクは、排出管２の傾斜部２２は下向きに所定角度傾斜して槽室１０の廃水エリア１５内に進入し、並びに傾斜部２２に廃水エリア１５に対応し且つ周囲に複数の孔２２３を具えた吸水部２２２が設けられている。これにより、生活汚水或いはトイレから排出される排泄物が導入管１３より槽室１０に導入される時、廃水エリア１５内に位置する排出可能な廃水は吸水部２２２の孔２２３より傾斜部２２に吸入されて外部に排出される。これは槽室１０内の蓄積液体量が増加する時、槽室１０内の水液が駆動されて水圧力を平衡とし、このため汚水が導入管１３より導入されて水位が出口１２位置より高くなる時、排出管２の吸水部２２２の孔２２３がサイホン作用を発生して廃水エリア１５内の廃水を迅速に排出管２内に吸入して排出することによる。
【００１９】
また本発明の構造により形成された汚水タンクは、その槽室内に分解槽、沈殿槽等の複数の槽室を形成する隔壁がなく、ゆえに有効に汚水タンクの容積量を増して汚水の分解沈殿速度を高めることができる。
【００２０】
さらに、本発明の汚水タンクはゴキブリ等の虫類が排水管路に沿って屋内に進入するのを防止し及び臭気が屋内に流通するのを防止する効果を有する。即ち住宅に設置される汚水タンクが複数の時、図３に示されるように、比較的きれいな排水を収集できる汚水タンク６（例えば台所より排出される廃水用の汚水タンク）が上述の排出管２で本発明の汚水タンク１の入口１１に近い部分に接続され、即ち排出管２の傾斜部２２が汚水タンク６の廃水中に挿入されることで、ゴキブリ等の虫類が排出管２を通り屋内に進入するのを防止すると共に外界の臭気が屋内へと流通するのを防止できる。
【００２１】
図４は本発明の第２実施例であり（この実施例中、上述の実施例の説明と同じ或いは同等の部品は同一の符号を以て表示する）、隔壁のない槽室１０の上部にはエアポンプ５が取り付けられ、該エアポンプ５に接続された導管５１が槽室１０の底部近くに延伸され、導管５１の底部に複数の孔を具えた出気管５２が設けられ、エアポンプ５が空気を導管５１に圧送した後、出気管５２が気泡を発生して溶解酸素量を増して菌類の生長を誘発して汚水タンク内容物の腐敗分解を加速する。
【００２２】
図５は本発明の第３実施例とされ、そのうち隔壁のない槽室１０内部には簡単に沈水ポンプ３を取り付けることができ、この沈水ポンプ３は最も好ましくは隔板１３１で隔離され、並びに入口１１近くの槽室１０内部にあって隔板１３１で囲まれて回流室１３０が形成される。該隔板１３１には好ましくは透水孔１３３を形成可能なブラインド式傾斜板１３２が設けられる。また沈水ポンプ３に接続された回流管３２は回流室１３０に至り、即ち適時に該沈水ポンプ３が駆動されて槽室１０内の汚泥が攪拌され、並びに沈殿物が回流管３２を通り回流室１３０に流れ、分解濾過され、これにより排泄物の分解効率が高められる。また図６に示されるように、槽室１０内にエアポンプ５と沈水ポンプ３が共に設けられてもよい。
【００２３】
図７、図８は本発明の別の実施例を示す。出口１２近くの槽室１０内部に隔板１７が設けられて排出管２を収納できる収容室１７１が画定され、該収容室１７１は隔板１７に槽室１０の側壁１９が組み合わされて形成され排出管の傾斜部２２を包囲する区間とされ、また隔板１７は略Ｌ状を呈し並びに槽室１０の上壁１８より排出管の吸水部２２２底端よりやや低い位置まで下向きに延伸されて、排出管２と上層の懸濁エリア１６に浮かぶ懸濁物の隔離に用いられ、これにより未浄化の汚物が排出管２より排出されるのを阻止できる。このほか、収容室１７１内に紫外線殺菌ランプ４が設けられ、該紫外線殺菌ランプ４は紫外線を発生して水中の細菌を滅菌する。
【００２４】
図９を参照されたい。図８の実施例中に更にエアポンプ５と沈水ポンプ３を設置し、且つ上述の隔板１７の底端と側壁１９間にフィルタネット１７２を設置することが可能であり、該フィルタネット１７２は排出管２の出水部２２２下方に位置し、並びに隔板１７に水液流通に供される透水孔１７３が設けられて、分解腐敗した汚物の収容室１７１内への進入を隔離し、これにより未浄化の汚物が排出管２より排出されるのを阻止する。
【００２５】
前述の説明は本発明の特定の好ましい実施例に関するものであって本発明の設計精神により多種類の変化或いは改修実施例が可能である。例えば、本発明の排出管の傾斜部２２の傾斜角度は前述の実施例の配置形態に限定されず、その他の変化改修され同じ効果を有する技術内容も可能である。ゆえに、本発明に基づきなしうる細部の置換、修飾或いは改変はいずれも本発明の請求範囲に属する。
【図面の簡単な説明】
【００２６】
【図１】本発明の具体的実施例の立体図である。
【図２】図１の断面図である。
【図３】本発明の汚水タンクと別の汚水タンクが排出管で連接された表示図である。
【図４】図２中にエアポンプを取り付けた断面図である。
【図５】図２中に沈水ポンプを取り付けた断面図である。
【図６】図２中に沈水ポンプとエアポンプを取り付けた断面図である。
【図７】本発明の別の具体的実施例の立体図である。
【図８】図７の断面図である。
【図９】図８中に沈水ポンプとエアポンプを取り付けた実施例の断面図である。
【符号の説明】
【００２７】
１、６  汚水タンク          １０  槽室
１０１  底面                １１  入口
１２  出口                  １３  導入管
１３０  回流室              １３１  隔板
１３２  傾斜板              １３３  透水孔
１４  沈殿エリア            １５  廃水エリア
１６  懸濁エリア            １７  隔板
１７１  収容室              １７２  フィルタネット
１７３  透水孔              １８  上壁
１９  側壁                  ２  排出管
２１  上部                  ２２  傾斜部
２２１  下端                ２２２  吸水部
２２３  孔                  ３  沈水ポンプ
３１  隔板                  ３２  回流管
４  殺菌ランプ              ５  エアポンプ
５１  導管                  ５２  出気管
【図１】
2005319455.tif 000003
【図２】
2005319455.tif 000004
【図３】
2005319455.tif 000005
【図４】
2005319455.tif 000006
【図５】
2005319455.tif 000007
【図６】
2005319455.tif 000008
【図７】
2005319455.tif 000009
【図８】
2005319455.tif 000010
【図９】
2005319455.tif 000011